(57)【要約】      （修正有）【課題】主に風を利用して動力とした凧船を提供する。【解決手段】凧船は船および船を牽引する凧を含む。凧は凧本体２を含み、該凧本体の上端および下端はそれぞれ上端ロープ３および下端ロープ４と接続し、上端ロープの他端は牽引装置９に固定され、下端ロープの他端は接続装置５に固定される。固定装置にはさらに牽引装置牽引ロープ８が固定され、該牽引装置牽引ロープの他端はウインチ１３に巻きつけられる。該ウインチは減速装置１２を介してモーターと接続する。前述の接続装置にはさらに張力計７が固定され、該張力計は接続装置牽引ロープ１０と接続する。該接続装置牽引ロープの他端はもう１つのウインチに巻きつけられ、該ウインチは減速装置を介してモーターと接続する。凧本体には浮力バルーン１が設置される。本凧船は風を動力として船を牽引し、省エネ、構造合理性、操作の簡便性などの特徴を有する。【選択図】図１
0003169461.tif 000002
【実用新案登録請求の範囲】
【請求項１】
船および船を牽引する凧を含む凧船であって、凧は凧本体を含み、該凧本体の上端および下端は、上端ロープおよび下端ロープとそれぞれ接続し、上端ロープの他端は牽引装置に固定され、下端ロープの他端は接続装置に固定されており、前記牽引装置にはさらに牽引装置牽引ロープが固定され、該牽引装置牽引ロープの他端はウインチに巻きつけられ、該ウインチは減速装置を介してモーターと接続しており、前記接続装置にさらに張力計が固定され、該張力計は接続装置牽引ロープと接続し、該接続装置牽引ロープの他端はもう１つのウインチに巻きつけられ、該ウインチは減速装置を介してモーターと接続しており、凧本体には浮力バルーンがさらに設置されることを特徴とする凧船。
【請求項２】
前記接続装置にさらにビデオカメラが設置され、前記張力計が張力データを表示するディスプレイを有し、前記ビデオカメラのレンズが前記張力計のディスプレイに向いており、張力データを撮影してコントロールセンターに送信することを特徴とする請求項１に記載の凧船。
【請求項３】
前記牽引装置に孔が設けられ、前記張力計と接続した接続装置牽引ロープが、この牽引装置の孔を通って前記ウインチに巻きつけられることを特徴とする請求項１に記載の凧船。
【請求項４】
前記浮力バルーンが、１個以上であることを特徴とする請求項１に記載の凧船。
【請求項５】
前記凧本体が、その下端にある下端ロープを締めたり緩めたりすることにより、迎角を変えることができることを特徴とする請求項１に記載の凧船。
【請求項６】
前記凧本体の迎角が、４０〜１８０度の範囲で変化することを特徴とする請求項５に記載の凧船。
【請求項７】
前記浮力バルーンが、水素バルーンまたはヘリウムバルーンを含むことを特徴とする請求項１または請求項４に記載の凧船。
【請求項８】
前記凧本体の作製材料が、ガラス繊維布を含むことを特徴とする請求項１に記載の凧船。
【請求項９】
前記上端ロープ、下端ロープ、牽引装置牽引ロープ、および接続装置牽引ロープの作製材料が、ガラス繊維を含むことを特徴とする請求項１に記載の凧船。
【考案の詳細な説明】
【技術分野】
【０００１】
本考案は船、主に風を利用して動力とした凧船に関する。
【背景技術】
【０００２】
蒸気船が出現する以前、船の走行は風を動力としていた。船にマストおよび帆を取り付ける必要があるため、構造は複雑で操縦が困難であった。
【０００３】
中国実用新案登録第８６２０１９６８号に、自動上昇および空中飛行が可能な凧が開示されている。この凧は飛行機の玩具である。凧の形にシート状のプラスチックフィルムを裁断し、溶接機、電気アイロンなど熱結合器を使用してシート状のプラスチックフィルムを熱結合させて水素を充填し、水素凧とする。後部に小孔を有するバルーンを凧に取り付け、バルーンが常に凧の後方に向かってガスを噴き出すため、空中で水平に動く。
【０００４】
中国公開特許第１２５６１６４号に軽量凧が開示されている。バルーンおよび凧からなり、組立方法はガスを充填したバルーンを凧の適当な部位に接着する方法、または網を使用してガスを充填したバルーンを凧の適当な部位にかぶせる方法、またはガスを充填したバルーンを立体凧の筐体あるいは骨組内に嵌めこむ方法を含む。
【０００５】
現在、凧船に類似した公開文献、または実務に関する使用を未だ見ることはない。
【先行技術文献】
【特許文献】
【０００６】
【特許文献１】中国実用新案登録第８６２０１９６８号
【特許文献２】中国公開特許第１２５６１６４号
【考案の概要】
【考案が解決しようとする課題】
【０００７】
本考案の目的は、凧船を提供することである。この船は風を動力とし、バルーン、凧、および船が接続した構造を採用しており、風を動力として船を牽引することを実現する。
【課題を解決するための手段】
【０００８】
本考案の技術提案を実現するため、この種の凧船は船および船を牽引する凧を含む。凧は凧本体を含み、凧本体の上端および下端はそれぞれ上端ロープおよび下端ロープと接続し、上端ロープの他端は牽引装置に固定され、下端ロープの他端は接続装置に固定される。前述の牽引装置に牽引装置牽引ロープが固定されており、牽引装置牽引ロープの他端はウインチに巻きつけられ、このウインチは減速装置を介してモーターと接続する。前述の接続装置に張力計が固定されており、張力計は接続装置牽引ロープと接続し、接続装置牽引ロープの他端は、もう１つのウインチに巻きつけられる。このウインチは減速装置を介してモーターと接続する。凧本体にはさらに浮力バルーンが設置される。
【０００９】
技術提案はさらに以下を含む。
接続装置にさらにビデオカメラが設置される。張力計は張力データを表示するディスプレイを有する。ビデオカメラのレンズが張力計のディスプレイに向いており、張力データを撮影してコントロールセンターに送信する。
【００１０】
牽引装置に孔が設けられ、張力計と接続した接続装置牽引ロープは、この牽引装置の孔を通ってウインチに巻きつけられる。
【００１１】
浮力バルーンは１個以上である。
【００１２】
凧本体は、その下端にある下端ロープを締めたり緩めたりすることにより、迎角を変えることができる。
【００１３】
凧本体の迎角は、４０〜１８０度の範囲で変化する。
【００１４】
前述の浮力バルーンは、水素バルーンまたはヘリウムバルーンを含む。
【００１５】
凧本体の作製材料は、ガラス繊維布を含む。
【００１６】
上端ロープ、下端ロープ、牽引装置牽引ロープ、および接続装置牽引ロープの作製材料は、ガラス繊維を含む。
【考案の効果】
【００１７】
本考案の有益な効果は、風を動力として船を牽引することで、省エネ、構造合理性、操作の簡便性などの特徴を有することである。
【図面の簡単な説明】
【００１８】
【図１】図１は、本考案の全体構造の概略図である。
【図２】図２は、図１の凧部分の構造概略図である。
【図３】図３は、図２の凧上部の接続構造の概略図である。
【図４】図４は、図２の凧下部の接続構造の概略図である。
【図５】図５は、図２の接続装置の構造概略図である。
【考案を実施するための形態】
【００１９】
以下に図を組み合わせて本考案についてさらに説明する。
【実施例】
【００２０】
図に示すように、本凧船は主に凧および船１１から構成される。凧は主に浮力バルーン１、凧本体２、上端ロープ３、下端ロープ４、接続装置５、牽引装置牽引ロープ８、牽引装置９、および接続装置牽引ロープ１０からなる。浮力バルーン（水素バルーンまたはヘリウムバルーンを含む）１は凧本体（ガラス繊維材料で作製した１つの大面積体）２の最上部に複数接続する。凧本体２は風を受けるのに用いられる受風体である。凧本体２の上端縁に複数の上端ロープ（ガラス繊維材料または強度要求を満たす関連材料）３が固定され、凧本体２の下端縁に複数の下端ロープ（ガラス繊維材料または強度要求を満たす関連材料）４が固定される。上端ロープ３の端部と牽引装置９が固定され、下端ロープ４の端部と接続装置５が固定される。牽引装置９に牽引装置牽引ロープ（ガラス繊維材料または強度要求を満たす関連材料）８も固定する必要があり、牽引装置牽引ロープ８の他端はウインチ１３に巻きつけられる。該ウインチ１３は減速装置１２を介してモーター１４と接続し、該減速装置１２は船１１上に設置される。接続装置５に張力計７およびビデオカメラ６が固定され、ビデオカメラ６のレンズは張力計７のディスプレイ７１に向いており、ディスプレイ７１が張力の数値を表示する。張力計７に接続装置牽引ロープ（ガラス繊維材料または強度要求を満たす関連材料）１０も固定され、該接続装置牽引ロープ１０の他端は牽引装置９の孔９１を通り、もう１つのウインチ１３に巻きつけられる。該ウインチ１３はもう１つの減速装置１２を介してもう１つのモーター１４と接続する。該減速装置１２も船１１上に設置され、全部で２セットのモーター１４、減速装置１２、およびウインチ１３を有する。張力計７のデータの大小によって、モーター１４が凧本体２の下端ロープ４を牽引して、凧本体２の迎角（６０°〜１１５°）を変更することができ、風力の大きさを調整する。ビデオカメラ６は無線送信モジュールにより、張力計７の数値を船のコントロールセンターに送信することができる。
【００２１】
動作原理
１、まず水素バルーン、牽引装置牽引ロープ、および凧本体を放つ：モーターを反時計回りに動かして、牽引装置牽引ロープを空中に繰出すと、水素バルーンおよび風が凧本体と牽引装置牽引ロープを空中に牽引する。
【００２２】
２、接続装置牽引ロープを空中に放つ：５分後、もう１つのモーターを反時計回りに動かし、接続装置牽引ロープを繰出すと、凧本体は空中に引っ張られる。
【００２３】
３、凧本体の角度を６０°（最大迎角を目標とする）に調節する：モーターが正逆転機能を有するため、モーターを用いて凧本体の角度を調節およびコントロールすることができる。
【００２４】
４、凧の張力の大きさを見ることができる：凧に張力計を設置しており、船に無線送信され、凧の張力がどのくらいかがわかる。
【００２５】
５、凧を回収する：反時計回りにモーターを動かし、接続装置牽引ロープを約１２０°まで繰出すことで、風の抵抗を減少させて、停止させる。時計回りにモーターを動かし、牽引装置牽引ロープおよび凧本体を回収し、さらにもう１つのモーターを時計回りに動かして接続装置牽引ロープおよび凧本体を回収する。このとき、２個のモーターは一緒に凧を回収し始める。
【符号の説明】
【００２６】
１  浮力バルーン
２  凧本体
３  上端ロープ
４  下端ロープ
５  接続装置
６  ビデオカメラ
７  張力計
７１  ディスプレイ
８  牽引装置牽引ロープ
９  牽引装置
９１  孔
１０  接続装置牽引ロープ
１１  船
１２  減速装置
１３  ウインチ
１４  モーター
【図１】
0003169461.tif 000003
【図２】
0003169461.tif 000004
【図３】
0003169461.tif 000005
【図４】
0003169461.tif 000006
【図５】
0003169461.tif 000007